(57)【特許請求の範囲】
【請求項１】
枠組足場の建枠間に張架される一対の斜材からなる交差筋違に水平に架け渡すようにした補助手摺りにおいて、棒状手摺り本体の両端部の夫々一側面部に、断面略下向きＣ字状でその開口部の幅が前記斜材の直径よりも若干小さい弾性変形可能な合成樹脂製の掛止部材を、前記棒状手摺り本体の側面と平行な平面に沿って回動できるように枢着し、各掛止部材を前記斜材に対しその上方より弾性変形により嵌め込んで掛止するようにしたもので、各掛止部材は、これの軸心部と直交する方向に穿設されたピン挿通孔から棒状手摺り本体端部のピン挿通孔に亘って挿通した枢支ピンにより棒状手摺り本体端部の側面部に軽く圧接された状態で枢着されてなることを特徴とする枠組足場の交差筋違用補助手摺り。
【請求項２】
前記断面略下向きＣ字状掛止部材の開口部には、交差筋違の斜材に対する掛止部材の嵌め込みをガイドするテーパガイド部を設けてなることを特徴とする請求項１に記載の枠組足場の交差筋違用補助手摺り。
【請求項３】
前記棒状手摺り本体の両端部を扁平状に形成してなることを特徴とする請求項１又は２に記載の枠組足場の交差筋違用補助手摺り。
【発明の詳細な説明】
【０００１】
【発明の属する技術分野】
本発明は、枠組足場の建枠間に張架される一対の斜材からなる交差筋違に水平に架け渡すようにした補助手摺りに関する。
【０００２】
【従来の技術及びその課題】
建築現場に架設される枠組足場においては、本発明の実施形態を示す図１から分かるように、足場板３の長手方向両サイドに沿った建枠１，１間に一対の斜材２ａ，２ａからなるＸ形の交差筋違２が架け渡されているため、この交差筋違２が安全柵となって、足場板３を渡る作業者の安全を図ることができる。しかし、このような交差筋違２は、その下方部が足場板３との間で略三角形に開口された状態となっているため、作業者が足場板３の上で中腰になって作業をするような場合、上記三角形の開口部から誤って墜落する危険性があった。このような危険を防止するために、交差筋違２の下部側三角形開口部を形成する斜材２ａ，２ａに補助手摺りを水平に架け渡すようにしている（従来の補助手摺りは図示を省略する）。
【０００３】
従来の補助手摺りとして、本願の出願人が取得した特許第３００４９４４号がある。この補助手摺りは、交差筋違に対し簡単に装着することができて便利ではあるが、部品点数が多くなるため、コストが高くつく、と云う難点があった。本発明は、交差筋違に対しきわめて簡単に装着できる上に、部品点数が少なく、製作が容易で、コストを安くすることができる枠組足場の交差筋違用補助手摺りを提供することを目的とする。
【０００４】
【課題を解決するための手段】
請求項１に係る発明は、枠組足場の縦枠１，１間に張架される一対の斜材２ａ，２ａからなる交差筋違２に水平に架け渡すようにした補助手摺りにおいて、棒状手摺り本体５の両端部の夫々一側面部に、断面略下向きＣ字状でその開口部８の幅Ｗが前記斜材２ａの直径Ｄよりも若干小さい弾性変形可能な合成樹脂製の掛止部材６を、前記棒状手摺り本体５の側面と平行な平面に沿って回動できるように枢着し、各掛止部材６を前記斜材２ａに対しその上方より弾性変形により嵌め込んで掛止するようにしたもので、各掛止部材６は、これの軸心部と直交する方向に穿設されたピン挿通孔９から棒状手摺り本体端部のピン挿通孔７に亘って挿通した枢支ピン１０により棒状手摺り本体端部の側面部に軽く圧接された状態で枢着されてなることを特徴とする。
【０００５】
請求項２は、請求項１に記載の枠組足場の交差筋違用補助手摺りにおいて、前記断面略下向きＣ字状掛止部材６の開口部８には、交差筋違２の斜材２ａに対する掛止部材６の嵌め込みをガイドするテーパガイド部１２を設けてなることを特徴とする。
【０００６】
請求項３は、請求項１又は２に記載の枠組足場の交差筋違用補助手摺りにおいて、前記棒状手摺り本体５の両端部５ａ，５ａを扁平状に形成してなることを特徴とする。
【０００７】
【発明の実施の形態】
図１は、本発明に係る交差筋違用補助手摺り４を備えた枠組足場を示す斜視図、図２の（Ａ）は交差筋違用補助手摺り４を示す斜視図、（Ｂ）はこの補助手摺り４の掛止部材を拡大して示す斜視図である。また図３の（Ａ）は交差筋違用補助手摺り４の底面図、（Ｂ）は同補助手摺り４の正面図である。これらの図から分かるように、交差筋違用補助手摺り４は、棒状手摺り本体５の両端部の夫々一側面部に、弾性変形可能な合成樹脂製の断面略下向きＣ字状掛止部材６，６を、前記手摺り本体５の側面と平行な平面に沿って回動できるように枢支ピン１０により枢着してなるもので、各掛止部材６を交差筋違２の斜材２ａに対しその上方より弾性変形により嵌め込んで掛止するようにしている。この補助手摺り４が取り付けられる交差筋違２は、Ｘ形に交差される一対の斜材２ａ，２ａからなるもので、各斜材２ａの両端部が枠組足場の建枠１，１に枢着される。
【０００８】
上記補助手摺り４について更に詳細に説明すると、棒状手摺り本体５は、比較的厚肉の丸鋼管を所定長さに切断し、その両端部をプレス加工により圧潰して扁平状に形成したもので、各扁平部５ａ，５ａにはピン挿通孔７（図５参照）が設けられている。各掛止部材６は、ナイロンによって一体形成されたもので、図２の（Ｂ）、図３の（Ａ）及び図５に示すように、断面略下向きＣ字状に形成されると共にその開口部８の幅Ｗが交差筋違２の斜材２ａの直径Ｄより若干小さくなるように形成された掛止部材本体６ａと、この掛止部材本体６ａの外側面部に突設されたピン取付台座６ｂとからなり、このピン取付台座６ｂにはピン挿通孔９が穿設されている。尚、掛止部材６は、ナイロンに限らず、ナイロン以外の弾性変形可能な合成樹脂によって形成できるものである。
【０００９】
各掛止部材６を棒状手摺り本体５端部の扁平部５ａに枢着するには、図５から分かるように、枢支ピンとしての頭１０ａ付きリベット１０を、掛止部材６のピン取付台座６ｂにあるピン挿通孔９から棒状手摺り本体５の扁平部５ａにあるピン挿通孔７に亘って挿通すると共に、扁平部５ａの両側面に平ワッシャー１１，１１を添え付けた状態で、このリベット１０の外端部側をカシメ加工し、それによって各掛止部材６を棒状手摺り本体５の側面（この場合、扁平部５ａ）と平行な面に沿って回動させることができるようにしている。尚、リベット１０のカシメ部分を図５に１０ｂで示す。
【００１０】
上記のように各掛止部材６を棒状手摺り本体５の端部に枢着する際に、この掛止部材６は、無闇にクルクル回らないように各扁平部５ａに対しある程度圧接した状態に取り付けるのが好ましく、そうすることによって掛止部材６を棒状手摺り本体５の扁平部５ａに対し任意の回動位置に保持でき、後記のように交差筋違２の斜材２ａに対する掛止部材６の掛止作業が容易となる。
【００１１】
また図２の（Ｂ）及び図５に示すように、断面略下向きＣ字状に形成された掛止部材本体６ａの開口部８には、交差筋違２の斜材２ａに対する掛止部材６の嵌め込みをガイドするテーパガイド部１２が設けられており、このテーパガイド部１２によって掛止部材６の嵌め込み作業が容易となる。
【００１２】
上記のように構成される交差筋違用補助手摺り４は、図１に示すように、枠組足場の建枠１，１間に張架された交差筋違２の斜材２ａ，２ａに水平に架け渡されるわけであるが、この補助手摺り４の架け渡し方法について以下に説明する。尚、この補助手摺り４の各掛止部材６は、棒状手摺り本体５端部の各扁平部５ａに対し軽く圧接された状態に枢着されて、任意の回動位置に保持できるようになっており、非使用時は図２の（Ａ）に示すように棒状手摺り本体５とほぼ平行に位置させておくものとする。
【００１３】
この補助手摺り４を交差筋違２の斜材２ａ，２ａに装着するにあたり、この補助手摺り４を装着する作業者は、枠組足場の中に入って、補助手摺り４を交差筋違２の内側に持ち来たし、棒状手摺り本体５を手で掴んだ状態で一端側の掛止部材６を、その開口部８を下向きにして一方の斜材２ａに対しその上方から押し付けるようにすると、この押し付け力に伴う掛止部材６の弾性変形により開口部８が開いて、この掛止部材６が斜材２ａに嵌まり込み、嵌まり込んだ後は掛止部材６の弾性復元力によって開口部８が閉じ、従って掛止部材６は斜材２ａに嵌まり込んだ状態に掛止される。掛止部材６の開口部８を斜材２ａに押し付ける際に、その開口部８に設けられたテーパガイド部１２，１２の楔効果により開口部８を容易に開かせることができ、斜材２ａへの掛止部材６の嵌め込みを容易にすることができる。
【００１４】
こうして棒状手摺り本体５の一端側の掛止部材６を一方の斜材２ａに掛止させた後、棒状手摺り本体５の他端側の掛止部材６を、上記同様にして他方の斜材２ａに対して上方から押し付けるようにすると、掛止部材６の開口部８が弾性変形により開いて、この掛止部材６は、斜材２ａに嵌まり込んだ状態に掛止される。これによって、掛止部材６の両端の掛止部材６，６が両斜材２ａ，２ａに掛止されることになる。
【００１５】
上記のような補助手摺り４の架け渡し作業においては、この補助手摺り４の各掛止部材６が棒状手摺り本体５の側面と平行な平面に沿って回動可能に枢着されているから、作業者が棒状手摺り本体５を手で掴んだ状態で、掛止部材６をその開口部８を下向きにして斜材２ａに対し上方より押し付けるようにすれば、掛止部材６は、斜材２ａの傾斜姿勢に応じて自動的に回動し、そのまま斜材２ａに的確に嵌まり込むことになる。また、両掛止部材６，６を斜材２ａ，２ａに嵌め込んで掛止させた時、棒状手摺り本体５が水平に対し傾斜しておれば、両掛止部材６，６を斜材２ａ，２ａに対し適宜に押し引きスライドさせることによって、棒状手摺り本体５を水平姿勢に直すことができる。
【００１６】
上記のようにして交差筋違２の斜材２ａ，２ａに架け渡した補助手摺り４を取り外す時は、斜材２ａに嵌まり込んだ各掛止部材６を上方へ引き上げるようにすれば、掛止部材６の開口部８が弾性変形により拡開して、各掛止部材６が斜材２ａから離脱するから、補助手摺り４を交差筋違２から簡単に取り外すことができる。この場合も、各掛止部材６が棒状手摺り本体５に対し回動可能であるから、斜材２ａからの掛止部材６の離脱作業が容易となる。
【００１７】
特に、この補助手摺り４は、棒状手摺り本体５の両端部の夫々一側面部に、弾性変形可能な掛止部材６，６を、棒状手摺り本体５の側面と平行な平面に沿って回動できるように枢支ピン１０により枢着したもので、棒状手摺り本体５と、両掛止部材６，６と、各掛止部材６を手摺り本体５に枢着する枢支ピン１０とのきわめて少数の構成部材からなると共に、掛止部材６がナイロン等の合成樹脂で形成されるため、製作が容易で、コストの低廉化を図ることができる。
【００１８】
また、この補助手摺り４の掛止部材６は、金属に比べて引張力に弱い合成樹脂によって形成したものであるが、この補助手摺り４を交差筋違２の斜材２ａ，２ａに架け渡した時、図１及び図５から分かるように、斜材２ａの内側に棒状手摺り本体５が位置して、各掛止部材６が棒状手摺り本体５によって押し付けられた状態に斜材２ａに取り付けられるため、枠組足場内での作業時に、この補助手摺り４の棒状手摺り本体５に対し外向きの大きな押力が作用しても、掛止部材６はその押力によって圧縮されるだけであるから、変形して斜材２ａから離脱するおそれはない。
【００１９】
また、この補助手摺り４では、棒状手摺り本体５の両端部を夫々扁平状に形成しているため、この棒状手摺り本体５の各端部への掛止部材６の枢着が容易となると共に、補助手摺り４の使用に際して、各掛止部材６を交差筋違２の斜材２ａに掛止する時に棒状手摺り本体５の端部で手指を怪我するおそれがなく、使用上の安全も図られる。因みに、棒状手摺り本体５が角形鋼材等によって形成されておれば、長い枢支ピンが必要となって掛止部材６の枢着が困難となり、また掛止部材６を交差筋違２の斜材２ａに掛止する際に角形鋼材の端部で手指を怪我するおそがある。
【００２０】
【発明の効果】
請求項１に係る発明の交差筋違用補助手摺りは、棒状手摺り本体と、これの両端部に枢着される掛止部材とからなるもので、部品点数がきわめて少なく、しかも掛止部材が合成樹脂で形成されるから、製作が容易で、コストを安くすることができる。
【００２１】
この補助手摺りの使用にあたっては、棒状手摺り本体を把持してその一端側の掛止部材を、その開口部を下向きにして一方の斜材に対しその上方から押し付けるようにすれば、掛止部材の開口部が弾性変形により開いて斜材に嵌まり込み、嵌まり込んだ後は掛止部材の弾性復元力で開口部が閉じて斜材に嵌まり込んだ状態に掛止されるから、一端側の掛止部材を容易に斜材に掛止できる。こうして一端側の掛止部材を一方の斜材に掛止した後、他端側の掛止部材を同様にして他方の斜材に掛止することによって、この補助手摺りを簡単容易に交差筋違に架け渡すことができる。
【００２２】
また、各掛止部材が棒状手摺り本体の側面と平行な平面に沿って回動可能に枢着されているから、作業者が棒状手摺り本体を把持した状態で、掛止部材をその開口部を下向きにして斜材に対し上方より押し付けるようにすれば、掛止部材は、斜材の傾斜姿勢に応じて自動的に回動し、そのまま斜材に的確に嵌まり込み、また両掛止部材を斜材に嵌め込んで掛止させた時、棒状手摺り本体が傾斜しておれば、両掛止部材を斜材に対し適宜にスライドさせることによって、棒状手摺り本体を簡単に水平姿勢に直すことができる。
【００２３】
請求項２に係る発明によれば、掛止部材の開口部に、交差筋違の斜材に対する掛止部材の嵌め込みをガイドするテーパガイド部を設けているから、掛止部材の開口部を斜材に押し付ける際に、このテーパガイド部の楔効果により開口部を容易に開かせることができて、斜材への掛止部材の嵌め込みが容易となる。
【００２４】
請求項３に係る発明によれば、棒状手摺り本体の両端部を扁平状に形成しているから、棒状手摺り本体の各端部への掛止部材の枢着が容易となると共に、補助手摺りの使用に際して、各掛止部材を交差筋違の斜材に掛止する時に棒状手摺り本体の端部で手指を怪我するおそれがなく、使用上安全となる。
【図面の簡単な説明】
【図１】  本発明に係る交差筋違用補助手摺りを備えた枠組足場を示す斜視図である。
【図２】  （Ａ）は交差筋違用補助手摺りを示す斜視図、（Ｂ）はこの補助手摺りの掛止部材を拡大して示す斜視図である。
【図３】  （Ａ）は交差筋違用補助手摺りの底面図、（Ｂ）は同補助手摺りの正面図である。
【図４】  図１の矢印Ｘで囲まれた部分の拡大正面図である。
【図５】  同じく図１の矢印Ｘで囲まれた部分の拡大縦断面図である。
【符号の説明】
１            建枠
２            交差筋違
２ａ          交差筋違の斜材
４            補助手摺り
５            棒状手摺り本体
６            掛止部材
８            開口部
１２          テーパガイド部
【図１】
0003694660.tif 000002
【図２】
0003694660.tif 000003
【図３】
0003694660.tif 000004
【図４】
0003694660.tif 000005
【図５】
0003694660.tif 000006